(57)【要約】【課題】  コンパクト化を図り、かつフレキシブルプリント基板の特性を活かして寸法誤差を吸収して組付作業も容易とする。【解決手段】  ライセンスプレート２の照明用光源及びドア開閉スイッチを組み込んだ車両用バックパネルのガーニッシュにおいて、車両用バックパネル１に取り付けられたライセンスプレート２の上方位置に内部に収容スペースを設けたガーニッシュ本体３を取り付け、電源から車両用バックパネル１まで配線されたワイヤハーネス９と接続されるフレキシブルプリント基板４をガーニッシュ本体３の収容スペース内へ折り曲げ自由に設け、このフレキシブルプリント基板４にＬＥＤ５とトランクドア又はバックドア開閉用スイッチ６を搭載した。【選択図】  図２
2006193121.tif 000002
【特許請求の範囲】
【請求項１】
ライセンスプレートの照明用光源及びドア開閉スイッチを組み込んだ車両用バックパネルのガーニッシュにおいて、
車両用バックパネルに取り付けられたライセンスプレートの上方位置に内部に収容スペースを設けたガーニッシュ本体を取り付け、
電源から車両用バックパネルまで配線されたワイヤハーネスと接続されるフレキシブルプリント基板をガーニッシュ本体の収容スペース内へ折り曲げ自由に設け、
このフレキシブルプリント基板にＬＥＤとトランクドア又はバックドア開閉用スイッチを搭載したことを特徴とする車両用バックパネルのガーニッシュ。
【請求項２】
前記フレキシブルプリント基板一側のＬＥＤ及びスイッチ搭載部分を収容スペース内の取付部材に取り付けた後に、フレキシブルプリント基板の他側にコネクタを設け、このコネクタのワイヤハーネスとの接続位置はフレキシブルプリント基板の折り曲げや伸長により調節可能としたことを特徴とする請求項１に記載の車両用バックパネルのガーニッシュ。
【発明の詳細な説明】
【技術分野】
【０００１】
本発明は、車両の後部に取り付けられたライセンスプレートを照明する光源、トランクルームを開閉するトランクドアあるいはワゴン車などのバックドアを開閉するためのスイッチを組み込んだ車両用バックパネルのガーニッシュに関する。
【背景技術】
【０００２】
従来、例えばワンボックスカーの後部のライセンスプレートの上方位置に夜間照明用ランプを組み込まれ、かつバックドアを開けるためのハンドル付きのガーニッシュが知られていた。この従来品は、部品点数も多く、組み立ての手間もかかり、かつハンドルを操作してバックドアを開けるときにガーニッシュ本体の剛性が低く、変形し易いものであった。そこで、ライセンスランプの取付孔を有して少なくとも下面部を透明にした空洞体でライセンスプレート用ランプケースを形成し、このランプケースがブロー成形される中空のガーニッシュ体と一体化されてなるものが開発された（特許文献１参照）。
【特許文献１】特開２００１−１８０３７１公報（第２頁、図５）
【発明の開示】
【発明が解決しようとする課題】
【０００３】
特許文献１に記載の従来例では、ガーニッシュ全体の容積は大きくなり、すなわちランプケースと中空のガーニッシュ体とを一体化するために両方の中空が全体の容積となってしまうものであり、また、ライセンスランプへの配線長さもバラつきが生じ、余長分を中空内に収めておくことになるものであった。
【０００４】
そこで、本発明は、ライセンスプレート照明用の光源とドア開閉用のスイッチとが組み込まれて一体化されたものを単に車両用バックパネルに取り付けるだけで良いという利点はそのままに、より一層のコンパクト化を図り、かつフレキシブルプリント基板（ＦＰＣ）の特性を活かして寸法誤差を吸収して組付作業も容易とした車両用バックパネルのガーニッシュを提供することを目的とする。
【課題を解決するための手段】
【０００５】
上述の目的を達成するため、本発明は、ライセンスプレートの照明用光源及びドア開閉スイッチを組み込んだ車両用バックパネルのガーニッシュにおいて、車両用バックパネルに取り付けられたライセンスプレートの上方位置に内部に収容スペースを設けたガーニッシュ本体を取り付け、電源から車両用バックパネルまで配線されたワイヤハーネスと接続されるフレキシブルプリント基板をガーニッシュ本体の収容スペース内へ折り曲げ自由に設け、このフレキシブルプリント基板にＬＥＤとトランクドア又はバックドア開閉用スイッチを搭載したものである。
【発明の効果】
【０００６】
本発明は、ライセンスプレートの照明用光源及びドア開閉スイッチを組み込んだ車両用バックパネルのガーニッシュにおいて、車両用バックパネルに取り付けられたライセンスプレートの上方位置に内部に収容スペースを設けたガーニッシュ本体を取り付け、電源から車両用バックパネルまで配線されたワイヤハーネスと接続されるフレキシブルプリント基板（ＦＰＣ）をガーニッシュ本体の収容スペース内へ折り曲げ自由に設け、このフレキシブルプリント基板にＬＥＤとトランクドア又はバックドア開閉用スイッチを搭載したので、ガーニッシュ全体の薄型化、コンパクト化も図れ、ＦＰＣの折り曲げ、伸長により寸法誤差も吸収し、組付作業も容易に行える。また、ＬＥＤの使用により消費電力が減り、長寿命化が図れる。
【発明を実施するための最良の形態】
【０００７】
以下に本発明の実施形態について図面を参照にして説明する。
【０００８】
図１は車両用バックパネル１にライセンスプレート２を取り付けてあり、このライセンスプレート２の上方位置に内部に収容スペースを設けたガーニッシュ本体３を取り付けてある。このガーニッシュ本体３の収容スペース内にはフレキシブルプリント基板４を収容し、このフレキシブルプリント基板４にＬＥＤ５とスイッチ６を実装（搭載）してある。さらに、この例では、カメラ７も搭載してある。
【０００９】
図２は、ガーニッシュ本体３の断面を示し、フレキシブルプリント基板４はプラスチック材料で成形されたガーニッシュ本体３に設けた取付部材８に取り付けてＬＥＤ５やスイッチ６が所定の位置に保持されるようになっている。このフレキシブルプリント基板４は取付部材８が設けられた板材８Ａの個所で折り曲げられて上方に伸び、電源から車両用バックパネル１まで配線されたワイヤハーネス９と接続される。
【００１０】
図３は、取付部材８の他の例を示す断面であり、フレキシブルプリント基板４は複数の取付部材８に取り付けられる。この取付部材８は突条をなしたものであり、フレキシブルプリント基板４にこの突条が差し込まれる孔４Ａを形成しておくことにより、図３に示すようにフレキシブルプリント基板４をガーニッシュ本体３の収容スペース内に取り付けることができる。この例でも中央にあるスイッチ６の個所の下方は手を差し入れられるように空間を有する。
【００１１】
図４はフレキシブルプリント基板４が差し込まれる端子金具１０を示し、この端子金具１０にワイヤハーネス９が接続されている。差し込まれたフレキシブルプリント基板４の個所には端子部が印刷されている。
【００１２】
図５及び図６は、フレキシブルプリント基板４の端子部４Ｂを示し、この端子部４Ｂが端子金具１０の接触折曲片１１に接触するようになっている。図５で示す端子金具１０の上方位置にはワイヤハーネス９が接続固定されている。
【００１３】
図７は、フレキシブルプリント基板４が可撓性を有するために、特定部分を補強する必要がある場合、その裏面に補強板２１を設けたものを示す。
【００１４】
また、図８は、フレキシブルプリント基板４に印刷された回路に端子部４Ｂを溶接した例を示すものである。
【００１５】
ガーニッシュ本体３の正面形状が扇形に形成された場合、始めからフレキシブルプリント基板４の形状も扇形に形成しておくことができるが、図９乃至図１２に示すように一辺側に複数のスリット１２を形成しておき、このスリットを開くようにして扇形にすることができる。また、図１１に示すように回路を印刷していない部分に複数のスリットを形成し、図１２に示すようにガーニッシュの扇形形状に合わせることができる。
【００１６】
フレキシブルプリント基板４の長さを予め長めに形成しておき、ガーニッシュ本体３の長さとか大きさに合わせて途中を折り曲げて縮小させるようにしてもよい（図１３及び図１４参照）。図１３及び図１４において、フレキシブルプリント基板４にコネクタ２０を接続してあり、このコネクタ２０にワイヤハーネス９を接続する。
【図面の簡単な説明】
【００１７】
【図１】本発明の実施形態を示す正面図。
【図２】断面図。
【図３】他の実施形態を示す断面図。
【図４】ワイヤハーネスとフレキシブルプリント基板との接続を説明する断面図。
【図５】端子金具とフレキシブルプリント基板との接続の他の例を示す斜視図。
【図６】図５の部分的拡大断面図。
【図７】フレキシブルプリント基板に補強板を設けた例を示す斜視図。
【図８】フレキシブルプリント基板に端子金具を溶接したものを示す斜視図。
【図９】フレキシブルプリント基板の他の形状を示す正面図。
【図１０】一辺側に形成されたスリットを拡げた状態の正面図。
【図１１】また別のフレキシブルプリント基板を示す正面図。
【図１２】図１１のフレキシブルプリント基板を扇形に変形させた正面図。
【図１３】フレキシブルプリント基板のさらに他の形状を示す斜視図。
【図１４】図１３に示す基板をガーニッシュ本体の大きさに合わせて縮小した状態の斜視図。
【符号の説明】
【００１８】
１  車両用バックパネル
２  ライセンスプレート
３  ガーニッシュ本体
４  フレキシブルプリント基板
５  ＬＥＤ
６  スイッチ
９    ワイヤハーネス
【図１】
2006193121.tif 000003
【図２】
2006193121.tif 000004
【図３】
2006193121.tif 000005
【図４】
2006193121.tif 000006
【図５】
2006193121.tif 000007
【図６】
2006193121.tif 000008
【図７】
2006193121.tif 000009
【図８】
2006193121.tif 000010
【図９】
2006193121.tif 000011
【図１０】
2006193121.tif 000012
【図１１】
2006193121.tif 000013
【図１２】
2006193121.tif 000014
【図１３】
2006193121.tif 000015
【図１４】
2006193121.tif 000016